(57)【要約】      （修正有）【課題】補充液の容器などに適した、薄くかつ使い勝手の良好なブロー成形容器を提供する。【解決手段】切取部8を手でねじ切ったり、はさみで切り取ると先端に注出口が開口される注出筒体6と、切取部を容器の一部に連結させる連結片12とを容器上部に備えて、ブロー成形により薄肉に容器を一体に成形した。これにより、開口させ易く、しかも注出口から注出し易いブロー成形容器を提供できる。また、切取部が切取り後も連結部材により容器に連結されるため、注出が楽で、廃棄に手間が掛からない。【選択図】図１
2005239213.tif 000002
【特許請求の範囲】
【請求項１】
折り畳み可能な薄肉ブロー成形容器であり、先端に備えた切取部を切り離し注出口が開口される注出筒体と、前記切取部を前記容器の一部に連結させておく連結片とを、該容器上部に一体に成形したことを特徴とするブロー成形容器。
【請求項２】
連結片を中空に形成し、切取部内部と容器内とを該連結片により連通させたことを特徴とする請求項１に記載のブロー成形容器。
【請求項３】
連結片に、屈曲自在で、切取部を任意の位置に保持できる蛇腹部を設けたことを特徴とする請求項１または２に記載のブロー成形容器。
【請求項４】
連結片は、切取部の一側面にほぼ垂直に連結され、他端が容器の一部に該切取部から湾曲して連結していることを特徴とする請求項１〜３のいずれか１項に記載のブロー成形容器。
【発明の詳細な説明】
【技術分野】
【０００１】
本発明は、シャンプーやリンスの補充液等を収納する容器に適した薄肉のブロー成形容器に関する。
【背景技術】
【０００２】
シャンプーやリンスなどでは、容器内に収容された液を使い切ると、補充用の容器に入った補充液を購入し、常時使用する容器に補充液を移し替えて元の容器を再利用することが行われている。このような補充液を収容する容器は、補充液を移し替えた後には直ちに廃棄されるため一般に薄肉に形成されている。
【０００３】
従来このような補充液用の薄肉容器は、シート状の樹脂を左右から張り合わせて所定の形状に溶着した、いわゆるパウチ容器を用いたものが多かった。
【０００４】
【特許文献１】特開２００１−１７１６８９号公報
【発明の開示】
【発明が解決しようとする課題】
【０００５】
しかしながらパウチ容器は、平面的なシートを平行に突き合わせて溶着しているため、容器の中心部分を広げにくく底部が安定せず、また注出部も同様にシート状の樹脂を張り合わせて形成するため筒状にしにくく、内容液を注出しにくいことがあった。
【０００６】
更に注出部を樹脂等により円筒状に別途成型し、その円筒状の注出部をパウチ容器に取り付けて注出口とすることがあるが、製造工程が増加し手間とコストが掛かっていた。
【０００７】
また、パウチ容器では注出口になる箇所に予めＶ字状の切れ目などを設け、その切れ目から先端部分を切り取って注出口を開口するようにしているが、切取り部分が平面であるため、斜め方向に切り取られて注出口が傾斜してしまうことがあった。
【０００８】
更に、切り取られた先端部分は、内容液で濡れているためそのまま台などの上に置くことができず、すぐにごみ容器に捨てるか、切り取った先端部分を片手に持ったまま補充液を移し替えなければならず、使い勝手が充分とは言えなかった。
【０００９】
本発明は上記課題を解決し、容易に開口でき、内容液の注出が容易で、しかも底部が安定して、使い勝手のよい薄肉のブロー成形容器を提供することを目的とする。
【課題を解決するための手段】
【００１０】
本発明は、薄肉のブロー成形容器において、先端に切取部を備え、切取部を切り離し注出口を開口させる注出筒体と、切取部を容器の一部に連結させる連結片とを容器上部に設け、ブロー成形により一体に成形することとした。
【００１１】
また切取部と容器とを連結する連結片を中空とし、注出口から内容液を注出している時に、切取部の内側から容器内に連結片を介して空気が導入されることとした。
【００１２】
連結片に蛇腹部を設け、蛇腹部で屈曲自在とし、かつ蛇腹部により切取部を任意の位置に配置できることとした。
【００１３】
連結片を湾曲させ、切取部の切り離し箇所を迂回するようにして容器に連結させることとした。
【発明の効果】
【００１４】
本発明の薄肉のブロー成形容器は、一体成形であるので製造が簡易で、しかもブロー成形であるので注出口を筒状に成形し、切取部を先端より取り除くことにより容易に開口させて注出できる。しかも切取部が容器に連結しているので、注出作業を容易にするととともに廃棄の手間を軽減できる。
【００１５】
内容液を注出しているとき、中空の連結片を介して容器内に空気が流入するので、円滑に内容液を注出できる。
【００１６】
蛇腹部で連結片を屈曲させ、注出口から注出している内容液と当接しない位置に切取部を配置でき、切取部が邪魔にならず確実に内容液を注出できる。
【００１７】
切取部の切り離し箇所を避けて連結片が形成されているので、切取部を手でねじ切る際にはねじ切り易く、またはさみ等を用いて切り取る際には工具類が触れにくくでき、連結片の損傷を防止できる。
【発明を実施するための最良の形態】
【００１８】
図２に、本発明にかかるブロー成形容器の一実施形態を示す。
【００１９】
ブロー成形容器２（以下、容器２とする。）は、ブロー成形機を用いて成形された、いわゆる薄肉の補充液用容器であり、金型内に溶融した樹脂を円筒状のパリソンにして押し出し、パリソン内部に空気を吹き込んで成形されている。
【００２０】
容器２は全体が筒状で、上部に注出筒体６と、内容物を収納した後熱溶着したシール部４とを有し、容器２の前後（図１においては左右方向）には両面に、縦方向に延びる折線５が形成してある。この折線５により容器２の横断面がほぼ長六角形となっている。
【００２１】
また容器２の底部は、図４に示すように中央を内側に折り込んだ山型に形成してあり、内容液を収容すると両端が拡がり容器２が自立するようになっている。
【００２２】
注出筒体６は、図４に示すようにほぼ円筒状で、切り取り用の溝１０を介して切取部８が先端に形成してある。切取部８は扁平な円筒体で、上部に連結片としての連結管１２が溝１０を迂回するように湾曲して接続してある。尚、注出筒体６は円筒に限らず、筒状であれば形状は問わず、また内径も一定でなくてよい。
【００２３】
連結管１２は中空な管体で、一方の接続端が切取部８の内部に連通し、他方の接続端が容器２の内部に連通した状態で連結している。連結管１２の中間部分には蛇腹部１３が形成してある。蛇腹部１３は屈曲自在で、連結管１２を屈曲した状態に保持でき、例えば図１の二点鎖線で示すように切取部８を任意な位置に配置した状態で保持できる。
【００２４】
次に容器２の作用について説明する。
【００２５】
容器２には、例えば補充用のシャンプー液などが収容してあり、ポンプ式容器など他の容器にシャンプー液を補充する際に使用される。
【００２６】
液の補充は、まず切取部８を溝１０からねじ切ったり、あるいははさみ（図示せず）等を用いて切断する。切取部８を切り離すと、注出筒体６の先端にほぼ円形の注出口３が形成される。
【００２７】
切取部８は溝１０から切り離されても、連結管１２により容器２に接続されており、蛇腹部１３を屈曲させて図３に示すように注出口３から離れた位置に配置させる。このようにして容器２を傾け、注出口３から内容液を他の容器に注入する。
【００２８】
したがって容器２によれば、連結管１２が湾曲しているので切取部８を容易にねじ切り、あるいは連結管１２を損傷させることなくはさみなどを用いて注出筒体６から切り離し、注出口３を開口させることができる。更に連結管１２を介して、切取部８から容器２内に空気が送り込まれるので、注出口３から内容液を円滑に注出できる。しかも切取部８を手で持つことなく適当な位置に配置できるので邪魔にならず、注出している内容液が切取部８に接触することがない。
【００２９】
容器２から内容液の全てを注出したなら、左右から容器２を押して畳み廃棄する。容器２は薄肉に形成してあるので、廃棄する樹脂の量は少なく、しかも切取部８とともに容器２を廃棄できる。
【００３０】
尚、上記例では連結片を連結管１２とし中空としたが、本発明は連結片を中実な部材から形成してもよい。また、シール部４、及び底部１４の形状は、上記例に限るものではない。
【図面の簡単な説明】
【００３１】
【図１】本発明にかかるブロー成形容器を示す部分図である。
【図２】本発明にかかるブロー成形容器を示す全体側面図である。
【図３】本発明にかかるブロー成形容器を示す全体側面図である。
【図４】本発明にかかるブロー成形容器を示す正面図である。
【符号の説明】
【００３２】
２    ブロー成形容器
３    注出口
４    シール部
５    折線
６    注出筒体
８    切取部
１０  溝
１２  連結管
１３  蛇腹部
【図１】
2005239213.tif 000003
【図２】
2005239213.tif 000004
【図３】
2005239213.tif 000005
【図４】
2005239213.tif 000006